(57)【要約】【課題】老朽化したスレート葺屋根を取り壊すことなく、しかもスレート屋根材固定用フックボルトへの取付けも簡単、強固で、補修用金属製折曲げ屋根材の安定した取付け（施工）を可能にするスレート葺屋根の補修技術を提案すること。【解決手段】主片とこの主片にボルトを介して合掌状に連結される副片とからなり、かつこれらの連結状態における全体形状が、断面略台形の筒状を呈するクランプ金具と、この金具をスレート屋根材に取付けてあるフックボルトに固定して、その上に角波状金属製折曲げ屋根材をねじ止めして、老朽化したスレート葺屋根を覆う補修工法とその補修構造とからなるもの。【選択図】図２
2008063872.tif 000002
【特許請求の範囲】
【請求項１】
主片とこの主片に連結ボルトを使って連結される副片とからなり、これらの連結状態の形状が、断面略台形の筒状体を呈し、かつこれら主片底面ならびに副片底面の対向する各縁部の長手方向の中央部にはスレート屋根材固定用フックボルトの挿通孔を確保するための一対の溝が設けられていると共に、主片と副片との側壁連結部には連結ボルト挿通用ネジ孔もしくは通孔が長手方向に設けられていることを特徴とするスレート葺屋根補修用クランプ金具。
【請求項２】
前記主片ならびに副片の底面は、対向する内側に折曲げられていることを特徴とする請求項１に記載のスレート葺屋根補修用クランプ金具。
【請求項３】
前記主片ならびに副片の底面は、中央部が対向する内側に折曲げられ、この中央部を挟む両側が外向きに張り出した翼片を形造っていることを特徴とする請求項１に記載のスレート葺屋根補修用クランプ金具。
【請求項４】
スレート葺屋根上に、クランプ金具を介して金属製折曲げ屋根材を配設してなるスレート葺屋根の補修構造において、
前記クランプ金具が、請求項１〜３のいずれかに記載のスレート葺屋根補修用クランプ金具によって構成され、前記金属製折曲げ屋根材が、スレート屋根材の各山部に対応する位置に折曲げ成形された台形山部を有すると共に、その台形山部のうちのスレート屋根材固定用フックボルトの設置部分を高台形山部としてなる折曲げ屋根材によって構成され、
そして、その金属製折曲げ屋根材を、前記クランプ金具の上に載置固定した前記スレート葺屋根上に配設したことを特徴とするスレート葺屋根の補修構造。
【請求項５】
金属製折曲げ屋根材とクランプ金具との間に、補強材を介挿させたことを特徴とする請求項４に記載のスレート葺屋根の補修構造。
【請求項６】
スレート葺屋根上に、クランプ金具を介して金属製折曲げ屋根材を配設してこれを覆うことにより、スレート葺屋根の補修を行う方法において、
まず、丸波形のスレート屋根材上に、これを固定するためのフックボルトに対し、請求項１〜３のいずれかに記載のクランプ金具を、この金具の主片と副片とを連結ボルトを介して連結することにより固定し、
次いで、そのクランプ金具上に、前記スレート屋根材の各山部に対応する位置に角形に折曲げ成形された台形山部を設けると共にその台形山部のうちのスレート屋根材固定用フックボルト設置部分を高台形山部としてなる金属製折曲げ屋根材を、この屋根材の該高台形山部の部分が前記クランプ金具設置位置に対応するように載置した後、取付けネジを介してねじ止め固定することにより、該金属製折曲げ屋根材をスレート葺屋根上に配設することを特徴とするスレート葺屋根の補修工法。
【請求項７】
金属製折曲げ屋根材とクランプ金具との間に、補強材を介挿させたことを特徴とする請求項６に記載のスレート葺屋根の補修工法。
【発明の詳細な説明】
【技術分野】
【０００１】
本発明は、工場や倉庫・店舗等の屋根葺に用いられているスレート屋根材を金属製折曲げ屋根材を使って補修する際に用いるスレート葺屋根補修用クランプ金具、スレート葺屋根の補修構造およびその補修工法に関するものである。
【背景技術】
【０００２】
従来、老朽化したスレート葺屋根を取り壊すことなく、スレート葺屋根の補修を行う場合、まず、古くなったスレート屋根材を取外し、次いで、新たなスレート屋根材等を取付けて新しい屋根を葺上げる方法が一般的である。この工法では、とくに工場等の場合、その葺替工事の間、作業を長期間に亘って休止しなければならないという問題がある。また、何よりも、近年では、取り外したスレート屋根材は、その多くがセメントの他に１０〜２０ｍａｓｓ％程度の石綿をも含むものであるため、この大量に発生する廃棄物の処理が環境汚染になるという点で大きな問題となっていた。さらに、葺替工事中は屋根がなくなるため、風雨を凌ぐための養生を行うことが必要になり、しかも骨組だけになるため危険が伴い、かつ室内足場などを必要とするという問題もあった。
【０００３】
これに対し、従来、老朽化したスレート葺屋根を取り壊すことなく、その上に金属製屋根材を覆うことにより、屋根の補修を行う、特許文献１、２に開示されているような技術がある。例えば、特許文献１では、「薄鋼板を折曲することにより、既設のスレート屋根材の山部のピッチに合うように、山部と水平底部とを連続して形成してなる金属製屋根材」を、既設のスレート屋根材に載置して補修するという、スレート葺屋根の補修構造を提案している。
【０００４】
また、特許文献２には、図１に示すような構造のクランプ金具を用いた補修工法、即ち、「断面箱形で、…底面部にはその端縁に開口する切欠４ａを形成した金属板からなるクランプ金具４を用い、上記スレート屋根材３を貫通してこれを母屋１に固定した既設のフックボルト２上端のナット座金と上記スレート屋根材３の山部との間の隙間から上記フックボルト２まわりに上記切欠４ａを嵌め込んで上記クランプ金具４を上記スレート葺屋根の山部に載置固定し、その上に金属製屋根材５を敷設するというスレート葺屋根の補修工法」が開示されている。
【特許文献１】実公昭６３−４６５７６号公報
【特許文献２】特開平１０−２１９９３６号公報
【発明の開示】
【発明が解決しようとする課題】
【０００５】
しかしながら、従来技術は、例えば、特許文献１に開示のものでは、「新しい金属製屋根材を設置するためには、既設スレート屋根材に穴あけ等の加工を施さなければならず、建物内部に施工くずやごみ、ちり、粉塵等が発生して、環境汚染の原因となる。従って、操業中の工場や使用中の倉庫、体育館などに落下物の防止のためにテントを張るなど、大がかりな準備が必要である。しかも、老朽化した既設のスレート屋根材に対し、穴あけやドリルタッピングネジの締付などを行うと、屋根材に割れやひび、欠け等が生じることがある。
【０００６】
また、特許文献２に開示の工法では、底部に切欠を有する箱型のクランプ金具を、スレート屋根材とナット座金との間にむりに挿し込むために、該スレート屋根材が削り取られて発塵の原因になることが多く、しかも単に挿し込むだけであるからフックボルトへの固定状態が悪く弛みやすいので、新設の金属製屋根材の取付け状態が不安定になるという課題がある。
【０００７】
そこで、本発明の目的は、既設のスレート屋根材を傷つけて発塵を招くようなことがなく、しかもスレート屋根材固定用フックボルトへの取付けが簡単、強固で、補修用金属製折曲げ屋根材の安定した取付け（施工）が可能になるスレート葺屋根の補修技術を確立することにある。
【課題を解決するための手段】
【０００８】
発明者らは、従来技術が抱えている上述した課題を解決し、上記目的を実現するための技術について鋭意研究した結果、以下に記載する新規技術を開発するに到った。
【０００９】
即ち、本発明は、主片とこの主片に連結ボルトを使って連結される副片とからなり、これらの連結状態の形状が、断面略台形の筒状体を呈し、かつこれら主片底面ならびに副片底面の対向する各縁部の長手方向の中央部にはスレート屋根材固定用フックボルトの挿通孔を確保するための一対の溝が設けられていると共に、主片と副片との側壁連結部には連結ボルト挿通用ネジ孔もしくは通孔が長手方向に設けられていることを特徴とするスレート葺屋根補修用クランプである。
【００１０】
また、本発明は、スレート葺屋根上に、クランプ金具を介して金属製折曲げ屋根材を配設してなるスレート葺屋根の補修構造において、前記クランプ金具が、請求項１〜３のいずれかに記載のスレート葺屋根補修用クランプ金具によって構成され、前記金属製折曲げ屋根材が、スレート屋根材の各山部に対応する位置に折曲げ成形された台形山部を有すると共に、その台形山部のうちのスレート屋根材固定用フックボルトの設置部分を高台形山部としてなる折曲げ屋根材によって構成され、そして、その金属製折曲げ屋根材を、前記クランプ金具の上に載置固定した前記スレート葺屋根上に配設したことを特徴とするスレート葺屋根の補修構造である。
【００１１】
また、本発明は、スレート葺屋根上に、クランプ金具を介して金属製折曲げ屋根材を配設してこれを覆うことにより、スレート葺屋根の補修を行う方法において、まず、丸波形のスレート屋根材上に、これを固定するためのフックボルトに対し、請求項１〜３のいずれかに記載のクランプ金具を、この金具の主片と副片とを連結ボルトを介して連結することにより固定し、次いで、そのクランプ金具上に、前記スレート屋根材の各山部に対応する位置に角形に折曲げ成形された台形山部を設けると共にその台形山部のうちのスレート屋根材固定用フックボルト設置部分を高台形山部としてなる金属製折曲げ屋根材を、この屋根材の該高台形山部の部分が前記クランプ金具設置位置に対応するように載置した後、取付けネジを介してねじ止め固定することにより、該金属製折曲げ屋根材をスレート葺屋根上に配設することを特徴とするスレート葺屋根の補修工法である。
【００１２】
なお、本発明の好ましい実施の形態として、前記主片ならびに副片の底面は、対向する内側に折曲げられていること、前記主片ならびに副片の底面は、中央部が対向する内側に折曲げられ、この中央部を挟む両側が外向きに張り出した翼片を形造っていることが好ましく、また、金属製折曲げ屋根材とクランプ金具との間には、補強材を介挿させた構造とすることが好ましい。なお、前記金属製折曲げ屋根材は、台形山形の上面形状を平坦面にするか、上側凸の湾曲形状にするか、あるいは山形形状にすることが好ましい。
【００１３】
以上の説明からわかるように、本発明のスレート葺屋根の補修技術は、老朽化したスレート屋根材を取り壊さずに、その上に金属製折曲げ屋根材を葺上げる方法である。従って、このような方法の下では、補修工事中であっても工場の操業を続けたり、倉庫や店舗の使用や営業を継続して行うことができる他、風雨を凌ぐための養生や足場も不要で、補修工事を安全かつ短期間に行うことができる。しかも、古いスレート葺屋根を解体する必要がないので、スレート屋根材等の廃棄物が出ることがなく、さらに既設スレート屋根材を傷つけたりして環境汚染を招くという問題を生じさせることもない。
【００１４】
さらに、本発明に従って葺上げた金属製折曲げ屋根材からなるカバールーフは、既設のスレート屋根材の山部に合わせて台形山部を形成して重畳するように載置してあるので、作業者が薄鋼板から折曲げ屋根材、とくに前記台形山部の上に乗っても、この山部が凹んだり変形したりするようなことがなく安定性が高い。
【発明を実施するための最良の形態】
【００１５】
図２および図３は、本発明の一実施形態を示すものであって、溝型鋼材などで構成される母屋１上にフックボルト２を介してスレート屋根材３を固定すると共に、このスレート屋根材３の丸形凸部のうちの前記フックボルト２設置部分に、スレート屋根材固定用クランプ金具４を配置し、このクランプ金具４を介してその上にカバールーフである金属製折曲げ屋根材５を固定し、老朽化したスレート葺屋根の上を覆うことにより、該スレート葺屋根の補修を行った様子を示している。
【００１６】
本発明において、特徴的な構成は、主として、前記クランプ金具４の構造、および前記金属製折曲げ屋根材５の構造と、これらの組み合わせ方にある。以下、これらの構成について詳しく説明する。
【００１７】
本発明において用いられるクランプ金具４の一実施形態を図４、図５および図６に示す。これらの図に明らかように、この例に示すクランプ金具４は、断面形状が略Ｃ形の条材からなる主片４ａとこの主片４ａに対して向い合わせに連結される断面略逆Ｌ形条材からなる副片４ｂとを組み合わせる分割形構造とした点に特徴があり、向かい合わせに連結した状態の全体形状が箱形、即ち、図６に示したように、断面略台形の筒状体をなすものである。
【００１８】
そして、このクランプ金具４は、主片４ａおよび副片４ｂの組み合わせ状態において、その上面は前記金属製折曲げ屋根材５の凸部形状に合わせて平坦面、湾曲面あるいは山形面にしてあり、一方、その下面（底面）はスレート屋根材３の湾曲凸部に合わせて形成された内側に凹んだ、例えば湾曲形状を呈するものである。
【００１９】
このクランプ金具４はまた、主片４ａおよび副片４ｂの下面は、図５（ｂ）に示すように、それぞれ対向する底縁部の長手方向中央部に半円形の一対の切欠き４ｃ、４ｄが設けられており、この切欠き４ｃ、４ｄによって、この金具を前記フックボルト２に取付け固定するための略円形のボルト挿通孔４ｅが形成されている。
【００２０】
さらに、このクランプ金具４は、主片４ａおよび副片４ｂを重ね合わせる側壁部分に、これらを上述したように合掌状に連結するために、１〜複数個、好ましくは２個一対の連結孔４ｆ、４ｆ’、４ｇ、４ｇ’を、フックボルト２の棟側と軒側とに分けて設ける他に、該主片４ａの反対側の側壁にはねじ貫通孔４ｈ、４ｈ’を設ける。連結孔４ｇ、４ｇ’はねじ切してあり、そして、連結孔４ｆ、４ｆ’に連結ボルト６を挿通し、前記連結孔４ｇ、４ｇ’にねじ止めして締結することによって、この両者（全片および副片）を固く連結することができる。それと同時に、このクランプ金具４は、これをスレート屋根材３上に、前記フックボルト２を介して取付けることによって、該スレート屋根材の凸部３ａ上に載置固定することができる。このとき、前記フックボルト２の頭部は、主片４ａと副片４ｂの底部に設けられたボルト挿通孔４ｅを介して、該クランプ金具４内に収容された状態になる。
【００２１】
なお、図７、図８は、クランプ金具４’の他の実施形態を示すものである。このタイプのクランプ金具４’は、主片４ａ’と副片４ｂ’とからなる分割構造である点で、上掲のクランプ金具４と同様の構成を有するが、その違いは主辺４ａ’と副片４ｂ’の形状にある。即ち、このクランプ金具４’の主片４ａ’および副片４ｂ’の各底面は、フックボルト用挿通孔４ｅの部分を含む長手方向の中央部４ｍ’、４ｎ’を除く両端部分が、この底面部分が接する前記スレート屋根材の凸部３ａの凸形状によくフィットするように、下向きに湾曲した形で張り出した翼片４ｘ’、４ｙ’を突設した構造を有する。その他の構成、例えば連結孔４ｆ、４ｆ’、４ｇ、４ｇ’やねじ貫通孔４ｈ、４ｈ’等はクランプ金具４と同じである。
【００２２】
なお、クランプ金具４、４’の側壁に設けられる前記連結孔４ｆ、４ｆ’、４ｇ、４ｇ’は、フックボルト２を挟むその両側（軒側、棟側）に形成することが好ましいが、それは、このような配置にすると、主片４ａと副片４ｂとの連結状態が強固になると同時に、フックボルト２への固定も強固になり、該クランプ金具４、４’および金属製折曲げ屋根材５のスレート屋根材３への取付け状態が安定したものになるからである。即ち、スレート屋根材３上にカバーリングした折曲げ屋根材５が、勾配屋根（スレート葺屋根）から、ずり落ちたりするようなことがなくなるからである。また、フックボルト２の軒側と棟側を交互に一本止めして、ずり落ちを防止することもできる。
【００２３】
また、このクランプ金具４上には、図３〜図５に示すように、この金具を介してスレート屋根材３上に金属製折曲げ屋根材５が取付けられる。その取付け方法は、カバーリングする金属製折曲げ屋根材５をまず、クランプ金具４、４’の上に載置したのち、さらにその上から固定ねじ８をスクリュードライバーなどでねじ込んで一体に固定することにより行う。つまり、金属製折曲げ屋根材５とクランプ金具４、４’を一挙にねじ止めするのである。このような葺屋根施工によって、老朽化したスレート葺屋根は、カバールーフである新しい金属製折曲げ屋根材５によってその全面が覆われ、スレート屋根材等の既設屋根設備等を全く解体することなく補修することができるようになる。
【００２４】
本発明においては、前記クランプ金具４、４’と金属製折曲げ屋根材５との間に、図９に示すような係止片１１ａつきの補強材１１を介在させて補強を図ることも有効である。それは、金属製折曲げ屋根材５が薄板であるため、強風が吹く、高い建物や海岸部では補強材を使用し、金属製折曲げ屋根材５を保持することも可能だからである。なお、この補強材１１の形状は、基本的には重畳する金属製折曲げ屋根材５の高台形山部５ａの形状に合わせたものを用いることが好ましい。
【００２５】
次に、前記スレート屋根材３上に固定する金属製折曲げ屋根材５について説明する。この屋根材５は、丸波形スレート屋根材３の各凸部３ａに対応する位置にそれぞれ、角形に折曲げ成形された角波状の台形山部を有する。そして、これらの台形山部のうちのスレート屋根材固定用フックボルト設置部分は、２山ピッチあるいは３山ピッチで、前記クランプ金具４を収容する空間を確保するために、嵩高にした高台形山部５ａとなっている。なお、この屋根材５は、金属製薄板、好ましくは溶融亜鉛メッキ鋼板、塗装溶融亜鉛メッキ鋼板、塗装溶融合金メッキ鋼板等の折曲げ成形品が好適に用いられ、前記台形山部の上面は、クランプ金具４、４’の頂面形状に合わせて、平坦面、湾曲面、山形等に成形されることが好ましい。
【００２６】
即ち、かかる高台形山部５ａ、即ちクランプ金具４設置部分は、図２（ａ）、（ｂ）に示すように、連続する山波形成形部分の３つ目ごと、あるいは２つ目ごとの周期で設けられることが好ましく、スレート屋根材３と該金属製折曲げ屋根材５との間に、フックボルト２の頭部、ワッシャ９、必要に応じて介挿させるパッキン、およびナット１０を含むクランプ金具４、４’を収容することができる空間が設けられる。
【００２７】
そして、角形の波状に成形された金属製折曲げ屋根材５は、それぞれの台形山部が、少なくとも屋根葺き施工後において、スレート屋根材３の丸波状山部に略接するように重なるものである。従って、施工作業に当たっては、作業者が該金属製折曲げ屋根材５上に乗っても、座屈して凹んだり変形したりするようなことがない。しかも、この金属製折曲げ屋根材５を既設のスレート屋根材３上に、同じ山間隔（同じ働き幅）でそのまま施工して取付けることができるので、新たに母屋材などを施工して補強工事を行う必要もなく、屋根葺き作業も簡素化される。
【００２８】
次に、既設のスレート屋根材３上に、新らたに金属製折曲げ屋根材５を覆うように葺き上げて、老朽化したスレート葺屋根を補修する方法について説明する。
本発明に従う以下の方法では、老朽化した丸波状スレート屋根材３を母屋１に固定するために、まず、このスレート屋根材３に取付けられているフックボルト２に、上述したクランプ金具４、４’のいずれかを取付けて固定する。
【００２９】
クランプ金具４、４’をスレート屋根材３に取付ける場合、例えば、クランプ金具４の主片４ａと副片４ｂの各底部を、まず、フックボルト２に取付けてあるワッシャ９とスレート屋根材３の湾曲頂部との間に挿入することにより、前記フックボルト２が挿通孔４ｅ内に位置するように互いに組み合わせてから、連結孔４ｆ、ねじ貫通孔４ｈに連結ボルト６を挿通させると同時に、主片４ａ側の連結孔４ｇ、４ｇ’にねじ込んで締結固定することによって連結する。この連結状態において、このクランプ金具４内にはフックボルト２の頭部（ワッシャ９およびナット１０）が収まるようにすると同時に、該クランプ金具４をスレート屋根材３上に強固に固定することができる。
【００３０】
なお、主片４ａと副片４ｂとの連結に当たって、連結孔４ｆ〜４ｇ’とねじ貫通孔４ｈ、４ｈ’とを介してに連結ボルト６、６’を締結する場合、連結孔４ｆ、４ｆ’、ねじ貫通孔４ｈ、４ｈ’はバカ孔とし、一方、主片４ａ側の連結孔４ｇ、４ｇ’は螺設したねじ孔としているが、このような連結構造は、主片４ａと副片４ｂとの連結状態がより強固なものになる。
【００３１】
このようにして、スレート屋根材３上にクランプ金具４、４’を固定したのち、次いで、そのクランプ金具４を介しその上に、カバールーフである上述した構成に係る金属製折曲げ屋根材５を取付けて、該スレート葺屋根を完全に覆うようにして屋根の補修を行う。
【００３２】
この補修工法で用いる前記金属製折曲げ屋根材５は、下層の老朽化したスレート屋根材３の丸波と同じ周期で角形に折曲げ成形した屋根材であり、図２（ａ）、（ｂ）に示すように、スレート屋根材の各山部に対応する部分のうちのフックボルト取付け部分に、上述したように、前記クランプ金具４を収容するための特別大きな空間が確保できるように嵩高さとした高台形山部５ａを一定の周期（２山ピッチ、３山ピッチ）で形成したものである。
【００３３】
本発明では、スレート屋根材３上の所定の間隔毎に固定したクランプ金具４、４’の上に、該金属製折曲げ屋根材５を、それの高台形山部５ａの部分が位置するように載置し、かつこの高台形山部５ａの位置において、隣り合う金属製折曲げ屋根材５どうしを幅方向に繋げていくことにより、スレート葺屋根全体の新しいカバールーフを完成させるようにすることが好ましい。なお、図４に示す符号５ｂは水止めのための屈曲部である。
【産業上の利用可能性】
【００３４】
本発明に係るスレート葺屋根の補修構造およびその補修工法、スレート葺屋根補修用クランプ金具は、単に老朽化したスレート葺屋根の補修のみならず、もちろん新しいスレート葺屋根のカバールーフ施工としてよい。
【図面の簡単な説明】
【００３５】
【図１】従来のスレート葺屋根補修構造の断面図（ａ）およびクランプ金具の底面図（ｂ）である。
【図２】本発明にかかるスレート葺屋根補修構造の正面図である。
【図３】本発明にかかるスレート葺屋根補修構造の断面図である。
【図４】本発明にかかるスレート葺屋根補修構造の断面図である。
【図５】本発明にかかるクランプ金具の正面図（ａ）、底面図（ｂ）、および側面図（ｃ）である。
【図６】本発明のクランプ金具本体の斜視図である。
【図７】本発明のクランプ金具の他の実施形態を示す分解斜視図である。
【図８】本発明のクランプ金具の他の実施形態を示す底面図（ａ）および側面図（ｂ）である。
【図９】補強材の斜視図である。
【符号の説明】
【００３６】
１  母屋
２  フックボルト
３  スレート屋根材
３ａ  スレート屋根材の凸部
４、４’  クランプ金具
４ａ  主片
４ｂ  副片
４ｃ、４ｄ  切欠き
４ｅ  ボルト挿通孔
４ｆ、４ｆ、４ｇ、４ｇ’  連結孔
４ｈ、４ｈ’  ねじ貫通孔
４ｘ、４ｙ  翼片
５  金属製折曲げ屋根材
５ａ  金属製折曲げ屋根材の高台形山部
５ｂ  水止めのための屈曲部
６、６’  連結ボルト
８  固定ねじ
９  ワッシャ
１０  ナット
１１  補強材
【図１】
2008063872.tif 000003
【図２】
2008063872.tif 000004
【図３】
2008063872.tif 000005
【図４】
2008063872.tif 000006
【図５】
2008063872.tif 000007
【図６】
2008063872.tif 000008
【図７】
2008063872.tif 000009
【図８】
2008063872.tif 000010
【図９】
2008063872.tif 000011